Podtech/llm-jp-corpus-v4-ja_patent huggingface dataset:
【手続補正書】
【提出日】平成18年6月23日(2006.6.23)
【手続補正１】
【補正対象書類名】特許請求の範囲
【補正対象項目名】全文
【補正方法】変更
【補正の内容】
【特許請求の範囲】
【請求項１】
熱可塑性材料で出来た成形品（１）と、該成形品（１）と共に中空スペース（７）を画定する少なくとも一つの第二部品（２、９）を含む吸音材であって、該中空スペース（７）中に突き出てそして該第二部品（２）の方へ向けられているピン状又はスパイク状の多数のスペーサー（４）が該成形品（１）上に形成され、そこでは、個々のスペーサー（４）の平均外径がその平均長よりも小さく、そして該成形品（１）は各々がスペーサー（４）中に伸びる多数の穴（６）をその外側に有することを特徴とする、吸音材。
【請求項２】
該穴（６）を有する該成形品（１）の外側（５）が露出していることを特徴とする、請求項１に記載の吸音材。
【請求項３】
該穴（６）が該中空スペース（７）に向かって密閉されていることを特徴とする、請求項１又は請求項２に記載の吸音材。
【請求項４】
該成形品（１）が、熱可塑性プラスチックフィルムの深絞り成形によって製造されるものである、請求項１〜３のいずれかに記載の吸音材。
【請求項５】
該成形品（１）が、ＰＥＴフィルムで出来たものである、請求項１〜４のいずれかに記載の吸音材。
【請求項６】
該第二部品（２、９）が、重質層、不織布層、フォーム層及び／又は音響的に有効なテキスタイル層で形成されたものである、請求項１〜５のいずれかに記載の吸音材。
【請求項７】
該成形品（１）が、カセット状又は皿状に形成されたものである、請求項１〜６のいずれかに記載の吸音材。
【請求項８】
該成形品（１）の深さが、該スペーサー類（４）の個々の長さよりも大きい、請求項１〜７のいずれかに記載の吸音材。
【請求項９】
該成形品（１）が、周囲固定用フランジ（３）である、請求項１〜８のいずれかに記載の吸音材。
【請求項１０】
該スペーサー類（４）及び該穴類（６）が、該成形品（１）の表面に渡って不均一に分布されるように形成されたものである、請求項１〜９のいずれかに記載の吸音材。
【請求項１１】
該穴類（６）が、異なる内径を有するものである、請求項１〜１０のいずれかに記載の吸音材。
【請求項１２】
該穴類（６）が異なる深さを有し、及び／又は該スペーサー類（４）が異なる長さを有するものである、請求項１〜１１のいずれかに記載の吸音材。
【請求項１３】
異なる長さのスペーサー類（４）を有する領域が該成形品（１）上に形成され、そこでは各々異なる領域における該スペーサー類（４）が同一の長さを有する、請求項１〜１２のいずれかに記載の吸音材。
【請求項１４】
該スペーサー類（４）の間の領域における該中空スペース（７）が、音響的に有効な材料を部分的に備える、請求項１〜１３のいずれかに記載の吸音材。
【手続補正２】
【補正対象書類名】明細書
【補正対象項目名】０００４
【補正方法】変更
【補正の内容】
【０００４】
ドイツ特許１９５１６８１９Ｃ２明細書には、特に部屋を画定する表面（room-delimiting surface）への適用のために意図され、その部屋画定の表面から少し離れてカバー層が配列される音減衰装置が開示されている。そのカバー層は、低音響周波数用の第一減衰要素と高音響周波数用の第二減衰要素を含む。その第一減衰要素は、密閉プラスチックフィルムの形の板状吸収体から成り、そこではその板状吸収体が、フォームから成りキャビティを形成するフレーム状のスペーサー要素によって部屋画定の表面から少し離れて配列される。他方、第二減衰要素は、その板状吸収体上に配列され全面に渡ってそれらに接続される多孔質フォーム吸収体から成る。
欧州特許出願公開第０４５４９４９号明細書から、空気伝送音を吸収する成形品が知られており、それは音源に向けた表面上に異なる共鳴周波数を有する音響共鳴器を含んでいる。それらの共鳴器は、各々のケースに開口を備えており、各低周波共鳴器の作用範囲において、お互いに異なるいくつかのより高い周波数共鳴器が全面を覆われるように配置されており、そこではそれらの共鳴器を担持する表面が、それらの共鳴器を形状嵌合式に取り囲み、その際に開口を解放するパネル吸音器として設計されている。
日本特許出願公開第２００１−１４２４６７号は、扁平箱体内に吸音材を装填した吸音板を開示している。その扁平箱体は表面板、背面板及びその周囲の側板から成る。その表面板は多孔性であるように形成されている。表面板の内側には、細長形状の支持体（長方形のブランケット）があり、それらの支持体が側板と共同して作用して吸音材の表面に対して圧力を及ぼす。このようにして、空気が充填された中空スペースがそこに存在するように、多孔性表面板が吸音材に対して間隔をおいて配置される。更に、内側に突出する１本以上の突条が背面板に形成されており、そこでは吸音材がそれらの突条に寄りかかっている。かくして、空気が充填された中空スペースが、吸音材と背面板の間で画定される。
米国特許第５，７４４，７６３号明細書は、特に自動車のフードパネルの形状に設計され得るモーター車用の吸音部分を開示している。その部分は弾性粒体、特にゴム粒体が充填された中空体からなる。その中空体は、支持層又は自動車のフードパネルのそれぞれに適用されて後者と接触する第１層と、騒音源に面している第２層を有する。その第２層は、弾性粒体が中空体の外にこぼれないようにその粒体の最小粒径よりも小さい直径を有する、複数の小さな貫通孔を有する。第１層中には、支持層（自動車のフードパネル）と第１層の間に音響上有効な空気ポケットを画定する複数のくぼみが形成されている。
【手続補正３】
【補正対象書類名】明細書
【補正対象項目名】０００６
【補正方法】変更
【補正の内容】
【０００６】
この目的は、請求項１の特徴を有する吸音材によって解決される。従って、本発明による吸音材は、熱可塑性材料で出来た成形品と、その成形品と共に中空スペースを画定する少なくとも一つの第二部品で実質上構成され、そこでは、その中空スペース中に突き出てそして第二部品の方へ向けられているピン状又はスパイク状の多数のスペーサーが成形品上に形成されていて、そして個々のスペーサーの平均外径がその平均長よりも小さい。加えて、その成形品は、各々がスペーサー中に伸びる多数の穴をその外側に有している。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
マルチメディア信号を表すハッシュ信号を生成する方法において、
−圧縮されたマルチメディア信号を有するビットストリームを入力するステップと、
−前記ビットストリームから既定のパラメタを選択的に読み取るステップと、
−前記パラメタからハッシュ関数を得るステップと、
を有する方法。
【請求項２】
前記既定のパラメタは、前記マルチメディア信号の知覚情報に関する請求項１に記載の方法。
【請求項３】
前記マルチメディア信号は、オーディオ信号、ビデオ信号及び画像信号の少なくとも１つを有する請求項１に記載の方法。
【請求項４】
前記マルチメディア信号は、変換符号化、サブ帯域符号化及びパラメタ符号化の少なくとも１つを用いて圧縮されている請求項１に記載の方法。
【請求項５】
前記既定のパラメタは、
周波数帯域のエネルギー、
周波数帯域の振幅、
周波数帯域の色調、
ビデオ信号の領域の輝度、及び
ビデオ信号の領域のクロミナンス
の少なくとも１つに関する請求項１に記載の方法。
【請求項６】
前記方法はさらに、前記マルチメディア信号を圧縮するのに用いられる復号方式を決めるために、入力された前記ビットストリームを分析するステップを有する請求項１に記載の方法。
【請求項７】
前記分析ステップは、前記ビットストリームの特性を多数のコーディング方式の特性を含んでいるデータベースと比較するステップを有する請求項６に記載の方法。
【請求項８】
既定のパラメタを選択的に読み取る前記ステップは、
構文記述を用いることにより前記ビットストリーム内に前記既定のパラメタを配置するステップと、
配置された前記既定のパラメタを読み取るステップと、
デコーダ記述を用いて前記既定のパラメタを復号するステップと、
を有する請求項１に記載の方法。
【請求項９】
前記既定のパラメタは、周波数帯域の第１の組に関係し、前記ハッシュ関数を得るステップは、前記既定のパラメタから周波数帯域の第２の組にあるスペクトル情報の値の推定を得るステップを有し、前記ハッシュ関数は次いで、前記推定された値から計算される請求項１に記載の方法。
【請求項１０】
前記マルチメディア信号は、パラメタ符号化方式を用いて圧縮され、前記既定のパラメタは、正弦成分、ノイズ成分及びパラメタ方式内において利用される過渡成分の少なくとも１つに関係する請求項１に記載の方法。
【請求項１１】
請求項１に記載の方法を行うように構成されるコンピュータプログラム。
【請求項１２】
請求項１１に記載のコンピュータプログラムを有する記録担体。
【請求項１３】
請求項１１に記載のコンピュータプログラムのダウンロードを利用可能にする方法。
【請求項１４】
マルチメディア信号を表すハッシュ信号を生成するように構成される装置において、
−圧縮されたマルチメディア信号を有するビットストリームを入力するように構成される受信器と、
−前記ビットストリームから既定のパラメタを選択的に読み取るように構成される復号器と、
−前記既定のパラメタからハッシュ関数を得るように構成される処理ユニットと、
を有する装置。
【手続補正書】
【提出日】平成18年4月20日(2006.4.20)
【手続補正１】
【補正対象書類名】特許請求の範囲
【補正対象項目名】全文
【補正方法】変更
【補正の内容】
【特許請求の範囲】
【請求項１】
下部クラッディング層と、
コア層と、
前記コア層と区別されるパターン化光閉じ込め層であって、10nｍ超500nｍ未満の厚さ、前記コア層と区別される前記クラッディング層の屈折率より低い屈折率を有し、前記コア層と前記クラッディング層の間あるか、前記クラッディング層に埋設されるか、または前記コア層に埋設されていることを特徴とするパターン化光閉じ込め層と、
を含む光導波路。
【請求項２】
下部クラッディング層と、
上部クラッディング層と、
コア層と、
前記コア層と区別されるパターン化光閉じ込め層であって、10nｍ超500nｍ未満の厚さ、前記コア層と区別される前記下部クラッディング層および前記上部クラッディング層の屈折率より低い屈折率を有し、前記コア層と前記上部クラッディング層の間にあるかまたは前記上部クラッド層に埋設されていることを特徴とするパターン化光閉じ込め層と、
を含む光導波路。
【請求項３】
前記コア層が希土類元素でドープされている、請求項１または２に記載の光導波路。
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
バーンインボード組立体であって、
バーンインボード基体と、
前記バーンインボード基体上にあり、各々がそれぞれ電子デバイスを受入れるようになっている複数のバーンインソケットと、
前記バーンインボード基体に固定されている複数のバーンインボード信号コネクタとを備え、
前記各バーンインボード信号コネクタはそれぞれの信号接点のそれぞれの表面と解放可能なように係合する表面を有し、前記各信号コネクタは第１の大きさを有する最大直流電流を通電可能であり、
前記バーンインボード信号コネクタを前記デバイス上の信号接点に接続する複数のバーンインボード信号導体と、
前記バーンインボード基体に固定されている複数のバーンインボード電力コネクタとを更に備え、
前記各バーンインボード電力コネクタはそれぞれの電力接点のそれぞれの表面と解放可能なように係合する表面を有し、前記各電力コネクタは前記第１の大きさより大きい第２の大きさを有する最大直流電流を通電可能であり、
前記各バーンインボード電力コネクタを前記デバイスのそれぞれの上のそれぞれの電力接点に個々に接続している複数のバーンインボード電力導体を更に備えている、
ことを特徴とするバーンインボード組立体。
【請求項２】
バーンインボード組立体であって、
バーンインボード基体と、
前記バーンインボード基体上にあり、各々がそれぞれ電子デバイスを受入れるようになっている複数のバーンインソケットと、
前記バーンインボード基体に固定されている複数のバーンインボード信号エッジフィンガーコネクタとを備え、
前記各バーンインボード信号エッジフィンガーコネクタは、それぞれの信号接点のそれぞれの表面と解放可能なように係合する表面を有し、
前記バーンインボード信号エッジフィンガーコネクタを前記デバイス上の信号接点に接続する複数のバーンインボード信号導体と、
前記バーンインボード基体に固定されている複数のバーンインボード電力コネクタとを更に備え、
前記各バーンインボード電力コネクタは、それぞれの電力接点のそれぞれの表面と解放可能なように係合する柱筒形接触表面を有し、
前記各バーンインボード電力コネクタを前記デバイス上の電力接点に接続する複数のバーンインボード電力導体を更に備えている、
ことを特徴とするバーンインボード組立体。
【請求項３】
ドライバ組立体であって、
ドライバ基体と、
前記ドライバ基体に固定されている複数のドライバ信号コネクタとを備え、
前記各ドライバ信号コネクタはそれぞれの信号接点と解放可能なように係合する表面を有し、前記各ドライバ信号コネクタは第１の大きさを有する最大直流電流を通電可能であり、
前記ドライバ信号コネクタに接続されている信号エレクトロニクスと、
前記ドライバ基体に固定されている複数のドライバ電力コネクタとを更に備え、
前記各ドライバ電力コネクタは、それぞれの電力接点と解放可能なように係合する表面を有し、前記第１の大きさより大きい第２の大きさを有する最大直流電流を通電可能であり、
前記各ドライバ電力コネクタに接続されている単一の電源を更に備えている、
ことを特徴とするドライバ組立体。
【請求項４】
ドライバ組立体であって、
ドライバ基体と、
前記ドライバ基体に固定されている複数のドライバ信号コネクタとを備え、
前記各ドライバ信号コネクタはそれぞれの信号接点と解放可能なように係合する表面を有し、
前記ドライバ信号コネクタに接続されている信号エレクトロニクスと、
前記ドライバ基体に固定されている複数のドライバ電力コネクタとを更に備え、
前記各ドライバ電力コネクタは、それぞれの電力接点と解放可能なように係合する表面を有し、
前記各ドライバ電力コネクタに接続されている電源と、
複数のドライバ電流検出器とを更に備え、
前記各検出器は前記ドライバ電力コネクタのそれぞれと通信して前記各ドライバコネクタを通る電流を別々に検出し、
出力デバイスを更に備え、前記出力デバイスは前記ドライバ電流検出器と通信して前記それぞれのドライバ電力コネクタを通るそれぞれの電流の出力を供給する、
ことを特徴とするドライバ組立体。
【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
サービス、製品、及びコンテンツのうちの少なくとも１つについて顧客の満足度を測定する方法であって、
前記顧客についての画像データ及び音声データのうちの少なくとも１つを獲得する段階と、
（ａ）前記顧客の凝視の検出、（ｂ）前記顧客の表情の検出、（ｃ）前記顧客の感情の検出、（ｄ）前記顧客の音声の検出、（ｅ）前記サービス、前記製品、及び前記コンテンツのうちの少なくとも１つとの前記顧客の相互作用の検出のうちの少なくとも１つのために、前記画像データ及び音声データのうちの獲得した少なくとも１つを解析する段階と、
前記（ａ）乃至（ｅ）のうちの少なくとも１つに基づいて顧客の満足度を決定する段階と、
を有する方法。
【請求項２】
前記画像データ及び音声データのうちの少なくとも１つから、前記顧客の性別、民族的背景、及び年齢のうちの少なくとも１つを決定する段階を更に有する請求項１記載の方法。
【請求項３】
前記獲得段階は、前記画像データ内の前記顧客を識別する段階を有する請求項１記載の方法。
【請求項４】
前記識別段階は、前記画像データ内の顔を検出する段階を有する請求項３記載の方法。
【請求項５】
前記識別段階は、前記画像データ内のオブジェクトを、人と人ではないものに分類する段階を有する請求項３記載の方法。
【請求項６】
前記顧客の凝視の検出は、前記検出された凝視の方向は、前記サービス、前記製品、及び前記コンテンツのうちの少なくとも１つに向けられているか否かを決定する段階、及び、前記サービス、前記製品、及び前記コンテンツのうちの少なくとも１つに向けられる前記凝視の継続時間を決定する段階のうちの少なくとも１つを有する請求項１記載の方法。
【請求項７】
前記顧客の表情の検出は、前記検出された表情が、満足の表情であるか又は不満足の表情であるかを決定する段階を有する請求項１記載の方法。
【請求項８】
前記表情が検出されたときに、前記サービス、前記製品、及び前記コンテンツのうちの少なくとも１つに前記顧客の凝視は向けられているか否かを検出する段階を更に有し、
前記顧客の満足度の決定は、前記表情が検出されたときに、前記サービス、前記製品、及び前記コンテンツのうちの少なくとも１つに前記顧客の凝視は向けられているか否かを検出する段階に少なくとも部分的に基づく請求項６記載の方法。
【請求項９】
前記顧客の感情の検出は、前記顧客の前記音声及び前記表情のうちの少なくとも１つの検出に少なくとも部分的に基づいている請求項１記載の方法。
【請求項１０】
前記顧客の感情の検出は、前記顧客の前記感情の強度を検出する段階を有する請求項１記載の方法。
【請求項１１】
前記感情の強度を検出する段階は、前記顧客の前記音声及び前記表情のうちの少なくとも１つの検出に少なくとも部分的に基づいている請求項１０記載の方法。
【請求項１２】
前記顧客の音声の検出は、前記認識された音声の特定の句を検出する段階を有する請求項１記載の方法。
【請求項１３】
前記顧客の音声の検出は、前記認識された音声において感情を検出する段階を有する請求項１記載の方法。
【請求項１４】
前記サービス、前記製品、及び前記コンテンツのうちの少なくとも１つとの前記顧客の相互作用の検出は、前記製品、前記サービス、及び前記コンテンツのうちの少なくとも１つとの物理的相互作用を検出する段階を有する請求項１記載の方法。
【請求項１５】
サービス、製品、及びコンテンツのうちの少なくとも１つについて顧客の満足度を測定するためのコンピュータ可読媒体上に具現化されるコンピュータプログラムであって、
前記コンピュータプログラムは、
前記顧客についての画像データ及び音声データのうちの少なくとも１つを獲得するためのコンピュータ可読プログラムコード手段と、
（ａ）前記顧客の凝視の検出、（ｂ）前記顧客の表情の検出、（ｃ）前記顧客の感情の検出、（ｄ）前記顧客の音声の検出、（ｅ）前記サービス、前記製品、及び前記コンテンツのうちの少なくとも１つとの前記顧客の相互作用の検出のうちの少なくとも１つのために、前記画像データ及び音声データのうちの獲得した少なくとも１つを解析するためのコンピュータ可読プログラムコード手段と、
前記（ａ）乃至（ｅ）のうちの少なくとも１つに基づいて顧客の満足度を決定するためのコンピュータ可読プログラムコード手段と、
を有するコンピュータプログラム。
【請求項１６】
前記画像データ及び音声データのうちの少なくとも１つから、前記顧客の性別、民族的背景、及び年齢のうちの少なくとも１つを決定するためのコンピュータ可読プログラムコード手段を更に有する請求項１５記載のコンピュータプログラム。
【請求項１７】
サービス、製品、及びコンテンツのうちの少なくとも１つについて顧客の満足度を測定する方法段階を行うよう機械によって実行可能な命令のプログラムを具体的に具現化する前記機械により可読であるプログラム記憶装置であって、
前記方法は、
前記顧客についての画像データ及び音声データのうちの少なくとも１つを獲得する段階と、
（ａ）前記顧客の凝視の検出、（ｂ）前記顧客の表情の検出、（ｃ）前記顧客の感情の検出、（ｄ）前記顧客の音声の検出、（ｅ）前記サービス、前記製品、及び前記コンテンツのうちの少なくとも１つとの前記顧客の相互作用の検出のうちの少なくとも１つのために、獲得した前記画像データ及び音声データのうちの少なくとも１つを解析する段階と、
前記（ａ）乃至（ｅ）のうちの少なくとも１つに基づいて顧客の満足度を決定する段階と、
を有するプログラム記憶装置。
【請求項１８】
前記方法は更に、前記画像データ及び音声データのうちの少なくとも１つから、前記顧客の性別、民族的背景、及び年齢のうちの少なくとも１つを決定する段階を有する請求項１７記載のプログラム記憶装置。
【請求項１９】
サービス、製品、及びコンテンツのうちの少なくとも１つについて顧客の満足度を測定する装置であって、
前記顧客についての画像データ及び音声データのうちの少なくとも１つを獲得するカメラ及びマイクロホンのうちの少なくとも１つと、
（ａ）前記顧客の凝視の検出、（ｂ）前記顧客の表情の検出、（ｃ）前記顧客の感情の検出、（ｄ）前記顧客の音声の検出、（ｅ）前記サービス、前記製品、及び前記コンテンツのうちの少なくとも１つとの前記顧客の相互作用の検出のうちの少なくとも１つのために、獲得した前記画像データ及び音声データのうちの少なくとも１つを解析する手段を有するプロセッサと、
を有し、
前記プロセッサは更に、前記（ａ）乃至（ｅ）のうちの少なくとも１つに基づいて顧客の満足度を決定する手段を有する装置。
【請求項２０】
前記プロセッサは更に、前記画像データ及び音声データのうちの少なくとも１つから、前記顧客の性別、民族的背景、及び年齢のうちの少なくとも１つを決定する手段を有する請求項１９記載の装置。
【手続補正書】
【提出日】平成17年11月1日(2005.11.1)
【手続補正１】
【補正対象書類名】特許請求の範囲
【補正対象項目名】全文
【補正方法】変更
【補正の内容】
【特許請求の範囲】
【請求項１】
第１のグループのデータブロックを識別すること;
前記第１のグループ内に故障したデータブロックが存在するかを決定すること;
前記決定操作の結果に応答して、故障したデータブロックからデータを復元し、そして、前記データを、第２のグループに関係するデータブロックに送出するか否かを決定すること;
第１のディスク上の前記故障したデータブロックの組についての情報を維持すること;
前記第１のグループ内の前記故障したデータブロックを、選択された値に論理的に設定することを含み、
前記情報は、前記故障したデータブロックが１つ以上の第２のディスクへ移動したか否かを含み、
前記第１のグループは、前記データブロックに関係する冗長情報を維持できるブロックを含み、前記第２のグループは、少なくとも１つの故障していないデータブロックを有し、
これにより、前記第１のグループに対する前記冗長データの後での計算が、前記データを復元することなく、進行できることを特徴とする方法。
【請求項２】
前記故障したデータブロックについての情報に応答して、前記故障したデータブロックからのデータを前記第２のグループに送出しないで、替わりに、前記第２のグループ内の目標データブロックを前記選択された値に設定するか否かを決定することを含む請求項１記載の方法。
【請求項３】
すべての前記故障したデータブロックが実質的に１つ以上の第２のディスクに移動した時、記憶システムから前記第１のディスクを論理的に除去することを含む請求項１記載の方法。
【請求項４】
前記故障したデータブロックにアクセスするための試みを識別すること、
前記アクセスの試みに応答して、目標のデータブロックに対する復元操作を実行すること、
前記目標のデータブロックに対してアクセスするために前記試みを再指示することとを含む請求項１記載の方法。
【請求項５】
第１のグループのデータブロックを識別し、
前記第１のグループは、前記データブロックに関係するパリティ情報を維持できるブロックを含み、
前記パリティ情報をアクセスできるか否かを決定し、
前記パリティ情報がアクセスできないことを前記決定操作が示すなら、前記第１のグループのアクセス可能なデータを、１つ以上の第２のグループに関係したデータブロックの組にデータを送出し、
前記第２のグループは、各々、パリティ情報を維持できるアクセス可能ブロックを有する方法。
【請求項６】
前記データを送出する前記ステップは、対応するパリティを有するディスクから、同じまたは他のディスク上の他のストライプへデータを送出することを含む請求項５記載の方法。
【請求項７】
前記第１のグループは、RAIDストライプを含む請求項５記載の方法。
【請求項８】
前記決定操作は、前記冗長情報を維持できる前記ブロックを含むディスクに何かの故障があるか否かを決定することを含む請求項５記載の方法。
【請求項９】
前記決定操作は、前記冗長情報を維持できる前記ブロックに何かの故障があるか否かを決定することを含む請求項５記載の方法。
【請求項１０】
前記操作の送出は、前記データが将来の時間に送出されるべきとの指示に応答する請求項５記載の方法。
【請求項１１】
前記将来の時間は、ファイルシステムが、前記第１のグループからの前記データを含む一貫性ポイントを発生する時間を含む請求項１０記載の方法。
【請求項１２】
データブロックを格納するRAIDグループに結合された装置であり、
データ格納デバイスおよびデータ格納デバイスにアクセスできるプロセッサを備え、
前記プロセッサは、データ格納デバイス上で、データブロックに関する情報を維持し、
前記情報は、
どのデータブロックが０に設定されたかを記述している１組の登録部を含むゼロマップテーブルと、
どのデータブロックが割り当てられたファイルシステムデータにより使用されているかを記述している１組の登録部を含むブロックマップテーブルと、
RAID グループにおける非故障ディスクに移動される、RAIDグループにおける故障ディスク内の１つ以上のRAIDストライプに対応する１組のストライプマップ登録部を含むストライプマップテーブルとを含む装置。
【請求項１３】
前記ストライプマップテーブルにおける前記組みの登録部内の各登録部は、RAIDストライプの移動に関係する１組の情報を含む請求項１２記載の装置。
【請求項１４】
前記組みの情報は、前記RAIDストライプに関係するデータブロックの前記移動のための目標位置を含む請求項１３記載の装置。
【請求項１５】
前記ゼロマップテーブル内の登録部の個数と、０でないデータブロックの個数との間の相対的な差異が、パリティが減算により、またはデータベースの全てを加算することにより、計算されるかを決定する請求項１２記載の装置。
【請求項１６】
請求項１〜１１のいずれかに記載の方法を実施するシステム。
【請求項１７】
記録されたプログラムを有する、コンピュータ読み出し可能な記憶媒体であり、前記プログラムは、請求項１〜１１のいずれかの方法をコンピュータに実行させるコンピュータ読み出し可能な記憶媒体。
【手続補正書】
【提出日】平成18年6月27日(2006.6.27)
【手続補正１】
【補正対象書類名】図面
【補正対象項目名】全図
【補正方法】変更
【補正の内容】
【書類名】  図面  【図１】2005531073.tif 000001
【図２Ａ】2005531073.tif 000002
【図２Ｂ】2005531073.tif 000003
【図３Ａ】2005531073.tif 000004
【図３Ｂ】2005531073.tif 000005
【図４】2005531073.tif 000006
【図４Ａ】2005531073.tif 000007
【図４Ｂ】2005531073.tif 000008
【図４Ｃ】2005531073.tif 000009
【図５】2005531073.tif 000010
【図５Ａ】2005531073.tif 000011
【図５Ｂ】2005531073.tif 000012
【図５Ｃ】2005531073.tif 000013
【図５Ｄ】2005531073.tif 000014
【図５Ｅ】2005531073.tif 000015
【図５Ｆ】2005531073.tif 000016
【図５Ｇ】2005531073.tif 000017
【図５Ｈ】2005531073.tif 000018
【図５Ｉ】2005531073.tif 000019
【図５Ｊ】2005531073.tif 000020
【図５Ｋ】2005531073.tif 000021
【図５Ｌ】2005531073.tif 000022
【図５Ｍ】2005531073.tif 000023
【図５Ｎ】2005531073.tif 000024
【図５Ｏ】2005531073.tif 000025
【図５Ｐ】2005531073.tif 000026
【図５Ｑ】2005531073.tif 000027
【図５Ｒ】2005531073.tif 000028
【図５Ｓ】2005531073.tif 000029
【図６】2005531073.tif 000030
【図６Ａ】2005531073.tif 000031
【図６Ｂ】2005531073.tif 000032
【図６Ｃ】2005531073.tif 000033
【図６Ｄ】2005531073.tif 000034
【図６Ｅ】2005531073.tif 000035
【図６Ｆ】2005531073.tif 000036
【図７Ａ】2005531073.tif 000037
【図７Ｂ】2005531073.tif 000038
【図７Ｂ−続】2005531073.tif 000039
【図７Ｃ】2005531073.tif 000040
【図７Ｄ】2005531073.tif 000041
【図７Ｄ−続】2005531073.tif 000042
【図７Ｅ】2005531073.tif 000043
【図７Ｆ】2005531073.tif 000044
【図８Ａ】2005531073.tif 000045
【図８Ｂ】2005531073.tif 000046
【図８Ｃ】2005531073.tif 000047
【図８Ｄ】2005531073.tif 000048
【図８Ｅ】2005531073.tif 000049
【図８Ｆ】2005531073.tif 000050
【図８Ｆａ】2005531073.tif 000051
【図８Ｇ】2005531073.tif 000052
【図８Ｈ】2005531073.tif 000053
【図８Ｉ】2005531073.tif 000054
【図８Ｊ】2005531073.tif 000055
【図８Ｋ】2005531073.tif 000056
【図８Ｌ】2005531073.tif 000057
【図８Ｍ】2005531073.tif 000058
【図８Ｎ】2005531073.tif 000059
【図８Ｏ】2005531073.tif 000060
【図８Ｐ】2005531073.tif 000061
【図８Ｑ】2005531073.tif 000062
【図８Ｒ】2005531073.tif 000063
【図８Ｓ】2005531073.tif 000064
【図８Ｔ】2005531073.tif 000065
【図８Ｕ】2005531073.tif 000066
【図８Ｖ】2005531073.tif 000067
【図８Ｗ】2005531073.tif 000068
【図８Ｘ】2005531073.tif 000069
【図８Ｙ】2005531073.tif 000070
【図９Ａ】2005531073.tif 000071
【図９Ｂ】2005531073.tif 000072
【図９Ｃ】2005531073.tif 000073
【図９Ｄ】2005531073.tif 000074
【図９Ｅ】2005531073.tif 000075
【図９Ｆ】2005531073.tif 000076
【図１０】2005531073.tif 000077
【図１０Ａ】2005531073.tif 000078
【図１０Ｂ】2005531073.tif 000079
【図１０Ｃ】2005531073.tif 000080
【図１０Ｄ】2005531073.tif 000081
【図１０Ｅ】2005531073.tif 000082
【図１０Ｆ】2005531073.tif 000083
【図１０Ｇ】2005531073.tif 000084
【図１０Ｈ】2005531073.tif 000085
【図１０Ｉ】2005531073.tif 000086
【図１０Ｊ】2005531073.tif 000087
【図１０Ｋ】2005531073.tif 000088
【図１０Ｌ】2005531073.tif 000089
【図１０Ｍ】2005531073.tif 000090
【図１０Ｎ】2005531073.tif 000091
【手続補正書】
【提出日】平成18年6月9日(2006.6.9)
【手続補正１】
【補正対象書類名】特許請求の範囲
【補正対象項目名】請求項２
【補正方法】変更
【補正の内容】
【請求項２】
前記入射角が４５度より小さい請求項１に記載の背面投射型表示システム。
【手続補正２】
【補正対象書類名】特許請求の範囲
【補正対象項目名】請求項８
【補正方法】変更
【補正の内容】
【請求項８】
前記偏光ビームスプリッタが被覆材料としてAl2O2を利用する請求項６に記載の背面投射型表示システム。
【手続補正３】
【補正対象書類名】特許請求の範囲
【補正対象項目名】請求項１３
【補正方法】変更
【補正の内容】
【請求項１３】
前記入射角が４５度より小さい請求項１２に記載の背面投射型表示システム。
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
伝送システムにおいて、ソフトウェアプログラムを記憶ユニットにダウンロードする方法であって、前記ソフトウェアプログラムが、ブートコード及びアプリケーションコードを含み、前記ブートコードが、アプリケーションコードのダウンロードを可能にし、前記記憶ユニットが、少なくとも現在ブートコードを含む、方法であって、
ダウンロード要求時、新しいブートコードを、前記現在ブートコードに上書きにしない位置にダウンロードするステップと、
前記新しいブートコードが前記現在ブートコードと入れ替わることを示すステップと、
前記新しいブートコードに関連する新しいアプリケーションコードを、前記新しいブートコードに上書きにしない位置にダウンロードするステップと、
前記新しいアプリケーションコードが有効であることを示すステップと、
を含む方法。
【請求項２】
伝送システムにおいて、ソフトウェアプログラムを記憶ユニットにダウンロードする方法であって、前記ソフトウェアプログラムが、ブートコード及びアプリケーションコードを含み、前記ブートコードが、前記アプリケーションコードのダウンロードを可能にし、前記記憶ユニットが、前記記憶ユニットの第１の位置に記憶された現在ブートコードを含む少なくとも記憶された現在ソフトウェアプログラムを含む、方法であって、
ブートコードの使用を有効化するために、該ブートコードが記憶されている前記記憶ユニットの位置へジャンプするためのブートセクタを規定するステップであって、前記ブートセクタが、前記現在ブートコードが記憶されている前記第１の位置を最初に示す、ステップと、
ダウンロード要求時、新しいブートコード及び新しいアプリケーションコードを含む新しいソフトウェアプログラムを、第２の位置にダウンロードするステップと、
前記新しいブートコードが記憶されている第２の位置へジャンプするステップと、
を含む方法。
【請求項３】
前記新しいブートコードが記憶されている前記第２の位置へジャンプする前記ステップののち、
前記第１の位置の前記現在ブートコードを前記新しいブートコードと入れ替えるステップと、
前記第１の位置へジャンプするステップと、
を含む、請求項２に記載の方法。
【請求項４】
前記ブートセクタが、前記記憶ユニットのプロテクトされた記憶領域に位置する、請求項２に記載の方法。
【請求項５】
前記ブートセクタが、前記記憶ユニットとは別のプロテクトされた記憶領域に位置する、請求項２に記載の方法。
【請求項６】
前記現在ブートコードは、前記記憶ユニットのプロテクトされた領域に記憶され、該領域は、特定のソフトウェア条件下で上書きされるようにプロテクト解除されることが可能である、請求項２に記載の方法。
【請求項７】
前記新しいソフトウェアプログラムは、特定のソフトウェア条件下で上書きされるようにプロテクトされ及びプロテクト解除されることが可能である前記記憶ユニットの領域に記憶される、請求項２に記載の方法。
【請求項８】
前記新しいソフトウェアプログラムは、中間のアプリケーションコードを含み、該中間のアプリケーションコードは、前記現在アプリケーションコードと前記新しいアプリケーションコードとの間のリンクであり、ユーザが前記新しいソフトウェアプログラムをパラメトライズすることを可能にする、請求項２に記載の方法。
【請求項９】
伝送システムによって伝送されるソフトウェアプログラムを受け取る受信器であって、請求項１乃至請求項８のいずれか１項に記載の方法を実施する手段を有する受信器。
【請求項１０】
請求項１乃至請求項８のいずれか１項に記載の方法を実施する前記手段が、ファイルシステムを有する、請求項９に記載の受信器。
【請求項１１】
前記記憶ユニットが、ソフトウェア命令時にメモリ領域をプロテクトし／プロテクト解除することを可能にする永続的なメモリである、請求項９に記載の受信器。
【請求項１２】
ソフトウェアプログラムを送信する送信器と、前記ソフトウェアプログラムを受け取る少なくとも受信器と、を有する伝送システムであって、前記受信器が、請求項１乃至請求項８のいずれか１項に記載の方法を実施する手段を有する、伝送システム。
【請求項１３】
命令の組を計算する受信器のためのコンピュータプログラムであって、前記命令の組は、前記受信器へロードされると、前記受信器に請求項１乃至請求項８のいずれか１項に記載の方法を実施させるようにする、コンピュータプログラム。
【手続補正書】
【提出日】平成18年3月8日(2006.3.8)
【手続補正１】
【補正対象書類名】特許請求の範囲
【補正対象項目名】全文
【補正方法】変更
【補正の内容】
【特許請求の範囲】
【請求項１】
メモリセルの状態を検出するための半導体メモリ相互接続構成（１０４）であって、
ハイ状態基準メモリセルに結合されてハイ状態基準出力を提供するための第１負荷（１１６）と、
ロー状態基準メモリセルに結合されてロー状態基準出力を提供するための第２負荷（１２０）と、
前記メモリセルに結合されてビット出力を提供するための第３負荷（１１８）と、
センス増幅器（１２６）と、
からなり、同センス増幅器（１２６）は、
前記ハイ状態基準出力（ＶＨ）及び前記ビット出力を受け取り、第１差動出力（ｉｃ１）を提供するための第１差動手段（１５０、１５４、１５８、１４０）と、
前記ロー状態基準出力（ＶＬ）及び前記ビット出力を受け取り、第２差動出力（ｉｃ２）を提供するための第２差動手段（１６２、１６６、１４２、１７０）と、
前記第１差動出力と前記第２差動出力とを比較するための第３差動手段であって、前記第２差動出力に応答して前記第１差動手段において電流を変更するための第１トランジスタ（１６０）と、前記第１差動出力に応答して前記第２差動手段において電流を変更するための第２トランジスタ（１６８）と、を含む前記第３差動手段（１６０，１６８，１７２）と、からなる半導体メモリ相互接続構成（１０４）。
【請求項２】
請求項１に記載の半導体メモリ相互接続構成であって、前記第１差動手段は更に、
前記ハイ状態基準出力を受け取るための制御電極、第１電源端子に結合された第１電流電極、及び第２電流電極、を有する第３トランジスタ（１５０）と、
前記第３トランジスタの前記第２電流電極に結合された第１電流電極を有する第４トランジスタであって、前記第４トランジスタの前記第１電流電極に結合された制御電極、及び第２電源端子に結合された第２電流電極、を有する前記第４トランジスタ（１５４）と、
前記第２電源端子に結合された第１電流電極、前記第４トランジスタの前記第１電流電極に結合された制御電極、及び前記第１差動出力を提供する第２電流電極、を有する第５トランジスタ（１５８）と、
前記第１電源端子に結合された第１電流電極、前記ビット出力を受け取るための制御電極、及び前記第５トランジスタの前記第２電流電極に結合された第２電流電極、を有する
第６トランジスタ（１４０）と、によって特徴付けられ、
前記第２差動手段は、更に、
前記ビット出力を受け取るための制御電極、第１電源端子に結合された第１電流電極、及び第２電流電極、を有する第７トランジスタ（１４２）と、
前記第７トランジスタの前記第２電流電極に結合された第１電流電極を有する第８トランジスタ（１７０）であって、同第８トランジスタの前記第１電流電極に結合された制御電極、及び第２電源端子に結合された第２電流電極と、を有する前記第８トランジスタ（１７０）と、
前記第２電源端子に結合された第１電流電極、前記第８トランジスタの前記第１電流電極に結合された制御電極、及び前記第２差動出力を提供する第２電流電極、を有する第９トランジスタ（１６６）と、
前記第１電源端子に結合された第１電流電極、前記ロー状態基準出力を受け取るための制御電極、及び前記第９トランジスタの前記第２電流電極に結合された第２電流電極、を有する第１０トランジスタ（１６２）と、によって特徴付けられる半導体メモリ相互接続構成。
【請求項３】
請求項２に記載の半導体メモリ相互接続構成であって、前記第３差動手段は、更に、
前記第５トランジスタの前記第２電流電極に結合された第１電流電極、第１等化信号を受け取るための制御電極、前記第９トランジスタの前記第２電流電極に結合された第２電流電極、を有する第１１トランジスタ（１７２）が含まれる半導体メモリ相互接続構成。
【請求項４】
請求項３に記載の半導体メモリ相互接続構成であって、前記第３差動手段は更に、
前記第５トランジスタの前記第２電流電極に結合された第１電流電極、第２等化信号を受け取るための制御電極、前記第９トランジスタの前記第２電流電極に結合された第２電流電極、を有する第１２トランジスタ（１７４）が含まれる半導体メモリ相互接続構成。
【請求項５】
請求項２に記載の半導体メモリ相互接続構成であって、前記第３トランジスタ、前記第６トランジスタ、前記第７トランジスタ、及び前記第１０トランジスタは、更に、Ｐチャネルトランジスタ閾電圧によって特徴付けられるＰチャネルトランジスタを含み、前記第１差動手段は、前記ハイ状態基準出力の電圧マイナス電源端子の電源電圧マイナス前記Ｐチャネルトランジスタのしきい値電圧、量の２乗に比例する、第１中間電流を発生させるためのものである半導体メモリ相互接続構成。
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
トグルメモリの読み取りおよび書き込み方法であって、
前記トグルメモリの所定のアドレス位置の読み取り動作を開始するステップ、
前記所定のアドレス位置における書き込みトグル動作の一部を、現在格納されている値に影響を及ぼすことなく開始するステップ、
前記所定のアドレス位置における前記現在格納されているデータ値を、該所定のアドレスに書き込むべき新たな値と比較するステップであって、それによって、該新たな値が前記格納されているデータ値と異なっているか同一であるかを判定する、比較するステップ、および
前記新たな値が前記格納されているデータ値と異なる場合に、前記所定のアドレス位置における前記書き込みトグル動作を完了するか、または前記書き込むべき新たな値が前記格納されているデータ値と同じである場合に、前記所定のアドレス位置における前記トグル動作を完了するステップ
の一連のステップを備える、トグルメモリの読み取りおよび書き込み方法。
【請求項２】
トグルメモリの読み取りおよび書き込み方法であって、
前記トグルメモリの読み取り動作を実施するために必要な第１の時間長を定義するステップ、
前記トグルメモリの書き込み動作を実施するために必要な第２の時間長を定義するステップ、および
前記読み取り動作が完了する前に前記トグルメモリの前記書き込み動作を開始し、所定のアドレス位置が、前記書き込み動作中に書き込みたい書き込み値と同じ情報値を含むと判定された場合に、前記書き込み動作を選択的に終了するステップ
の一連のステップを含む、トグルメモリの読み取りおよび書き込み方法。
【請求項３】
２つの論理状態間でトグルして情報格納値を示すメモリセルのアレイと、
列アドレスを受け取って、前記メモリセルのアレイ内の所定のビット列を選択するビット選択信号を前記メモリセルのアレイに供給するビットデコードロジックと、
行アドレスを受け取って、前記メモリセルのアレイ内の所定のビット行を選択するワード選択信号を前記メモリセルのアレイに供給するワードデコードロジックと、
前記メモリセルのアレイに結合され、前記ワードデコードロジックに応答して所定のワード線を駆動する読み取りワード線ドライバと、
前記メモリセルのアレイに結合され、前記ワードデコードロジックおよび書き込みイネ
ーブル信号に応答して所定のワード線を駆動する書き込みワード線ドライバと、
前記ビットデコードロジックに結合され、前記行アドレスおよび列アドレスによって選択されたビットが前記２つの論理状態のどちらを有するかを判定するセンス回路と、
該センス回路に結合され、該センス回路の出力を、前記行アドレスおよび前記列アドレスを含む所定のアドレスに書き込むべき新たな値と比較して、該新たな値が、格納されているデータ値と異なっているか同じであるかを判定する比較器と、
該比較器に結合され、前記書き込みイネーブル信号に応答して前記ビットデコードロジックによって確定される所定の列を駆動し、前記新たな値が前記格納されているデータ値と異なる場合に前記所定のアドレスにおける前記書き込みトグル動作を完了し、前記書き込むべき新たな値が前記格納されているデータ値と同じである場合に前記所定のアドレスにおける前記トグル動作を終了する回路部とを備えるトグルメモリ。
【請求項４】
書き込むべきビット位置の論理状態のトグルを行うことによって情報を格納するアレイと、
該アレイに結合され、読み取り動作および書き込み動作の一部を同時に開始することによって前記アレイに情報を書き込む制御回路部であって、書き込みたい新たな値に電流格納値が所定の様式で関連する場合に前記書き込み動作の少なくとも一部を選択的に終了する制御回路部とを備えるメモリ。
【手続補正書】
【提出日】平成18年4月12日(2006.4.12)
【手続補正１】
【補正対象書類名】特許請求の範囲
【補正対象項目名】全文
【補正方法】変更
【補正の内容】
【特許請求の範囲】
【請求項１】
メモリであって、
第一部分（左）及び第二部分（右）を有する第一サブアレイ（１４）と、
第一部分（左）及び第二部分（右）を有する第二サブアレイ（１８）と、
前記第一サブアレイに隣接して配置され、かつ前記第一サブアレイの前記第一部分に隣接する第一データ線（３７）及び前記第一サブアレイの前記第二部分に隣接する第二データ線（５１）を有する第一列デコーダ（２０）と、
前記第二サブアレイに隣接して配置され、かつ前記第二サブアレイの前記第一部分に隣接する第一データ線（４１）及び前記第二サブアレイの前記第二部分に隣接する第二データ線（６３）を有する第二列デコーダ（２２）と、
第一の基準タイプ（高）を伝えるとともに、前記第二列デコーダの前記第一データ線に接続されている、前記第一サブアレイの前記第一部分における第一基準線（高基準）と、
第二の基準タイプ（低）を伝えるとともに、前記第二列デコーダの前記第二データ線に接続されている、前記第一サブアレイの前記第二部分における第二基準線（低基準）と、
前記第一の基準タイプを伝えるとともに、前記第一列デコーダの前記第一データ線に接続されている、前記第二サブアレイの前記第一部分における第三基準線（高基準）と、
前記第二の基準タイプを伝えるとともに、前記第一列デコーダの前記第二データ線に接続されている、前記第二サブアレイの前記第二部分における第四基準線（低基準）と、
第一センスアンプ（２４）と、
前記第一列デコーダの前記第一及び第二データ線、並びに前記第二列デコーダの前記第一及び第二データ線に接続された複数の入力と、前記第一センスアンプに接続された第一基準出力（７０）と、前記第一センスアンプに接続された第一データ出力（８０）とを有するマルチプレクサ（３２）と、
を備えるメモリ。
【請求項２】
請求項１に記載のメモリにおいて、前記マルチプレクサ（３２）は、前記第一センスアンプに接続された第二基準出力（９０）を有する、メモリ。
【請求項３】
データ及び第一基準（高基準）を備えるメモリの第一（左）サブアレイ（１４）におけるデータの検地方法であって、
データ及び第二基準（高基準）を備える第二サブアレイ（１８）を設けること、
前記第一サブアレイに隣接して配置され、かつ第一データ線（３７）を有する第一列デコーダ（２０左）を設けること、
前記第二サブアレイに隣接して配置され、かつ第二データ線（４１）を有する第二列デコーダ（２２左）を設けること、
第一センスアンプ（２４）を設けること、
前記第二サブアレイ（１８）をアクティブな状態にしていない間に、前記第一サブアレイ（１４）を有効化すること、
前記第一データ線（３７）から前記第一センスアンプにデータを伝送すること、
前記第二データ線を介して、前記第一センスアンプに前記第一基準を伝送すること、
前記第一サブアレイから前記第一データ線にデータを接続すること、
を含むデータの検地方法。
【請求項４】
請求項３に記載の方法であって、さらに、
データ及び第三基準（低）を備える第三サブアレイ（１４）を設けること、
データ及び第四基準（低）を備える第四サブアレイ（１８）を設けること、
前記第三サブアレイに隣接して配置され、かつ第三データ線（５１）を有する第三列デコーダ（２０右）を設けること、
前記第四サブアレイに隣接して配置され、かつ第四データ線（６３）を有する第四列デコーダ（２２右）を設けること、
前記第四サブアレイ（１８右）をアクティブな状態にしていない間に、前記第三サブアレイ（１４右）を有効化すること、
前記第四データ線（６３）を介して、前記第一センスアンプ（２４）に前記第三基準（低）を伝送すること、
を含む方法。
【手続補正２】
【補正対象書類名】明細書
【補正対象項目名】０００２
【補正方法】変更
【補正の内容】
【０００２】
磁性材料の進歩により、読み出し・書き込みのいずれプロセスにおいても高速動作が可能な磁気ランダム・アクセス・メモリ（ＭＲＡＭ）デバイスが実現した。一般的に、ＭＲＡＭデバイスには、ワード線及びビット線の交差点上に配列された複数のメモリセルが含まれている。ＭＲＡＭデバイスの各セルは、絶縁層により分離された磁性層を有する磁気トンネルジャンクション（ＭＴＪ）の一種である。ＭＴＪタイプのメモリセルに記憶されたデータは、磁性層における磁気ベクトル又は双極子の方向により表され、外部からメモリセルに印加された信号によりその磁気ベクトルの方向が変化させられるまで、記憶されたデータは保持される。
【特許文献１】米国特許第４７１３７９７号明細書
【特許文献２】米国特許第５６１９４４９号明細書
【特許文献３】米国特許第６１９１９８９号明細書
【特許文献４】米国特許第６２６９０４０号明細書
【特許文献５】米国特許第６５５２９５２号明細書
【特許文献６】国際公開第９８／３９７７４号パンフレット